(57)【特許請求の範囲】
【請求項１】
長尺の略直方体形状であり、その上面、底面、及び両側面の近辺に、その長手方向の適宜の複数の位置におけるその長手方向に垂直な平面上に位置するようにされた矩形の主筋と、その長手方向に沿うようにして多数配列された状態で埋設された前記主筋と接続された副筋と、からなる補強鉄筋を有している、コンクリートでできた仮設基礎であって、
前記仮設基礎の解体時において前記仮設基礎の長手方向に垂直な平面で切断されることが予定された前記仮設基礎の長手方向における位置の前記仮設基礎の、前記仮設基礎中の底面の近辺に埋設された副筋である下副筋よりも下方の部分又は仮設基礎の下の地中に、ワイヤソーを通すことができる管である第１管が、当該位置における下副筋の上に前記第１管と一対とされた第２管が、前記第１管と前記第２管とがともに、略水平であり、且つその長手方向が前記仮設基礎の長手方向に垂直となるように配されてなる、
仮設基礎。
【請求項２】
前記第２管は、前記下副筋の上２０ｃｍ以内に配されている、
請求項１記載の仮設基礎。
【請求項３】
前記第１管と、前記第２管とは、少なくともその一方の硬度が、前記コンクリートよりも低くなっている、
請求項１記載の仮設基礎。
【請求項４】
長尺の略直方体形状であり、その上面、底面、及び両側面の近辺に、その長手方向の適宜の複数の位置におけるその長手方向に垂直な平面上に位置するようにされた矩形の主筋と、その長手方向に沿うようにして多数配列された状態で埋設された前記主筋と接続された副筋と、からなる補強鉄筋を有している、コンクリートでできた仮設基礎の構築方法であって、
前記仮設基礎の解体時において前記仮設基礎の長手方向に垂直な平面で切断されることが予定された前記仮設基礎の長手方向における位置の前記仮設基礎の、前記仮設基礎中の底面の近辺に埋設された副筋である下副筋よりも下方の部分又は仮設基礎の下の地中に、ワイヤソーを通すことができるものであり、少なくとも前記仮設基礎の幅方向にわたる管である第１管と、当該位置における下副筋の上にワイヤソーを通すことができるものであり、少なくとも前記仮設基礎の幅方向にわたる管である第２管を一対として、前記第１管と前記第２管とがともに、略水平であり、且つその長手方向が前記仮設基礎の長手方向に垂直となるように配する、
仮設基礎の構築方法。
【請求項５】
前記第１管と前記第２管とを配してから、前記コンクリートを打設する、
請求項４記載の仮設基礎の構築方法。
【請求項６】
請求項１記載の仮設基礎の解体工法であって、
一対とされた前記第１管及び前記第２管の中を通すことにより、前記仮設基礎の解体時において前記仮設基礎の長手方向に垂直な平面で切断されることが予定された前記仮設基礎の長手方向における位置の前記仮設基礎のうち、前記第１管と前記第２管とに挟まれた範囲を前記ワイヤソーにより囲むとともに、前記ワイヤソーによって、前記ワイヤソーにより囲まれた範囲の前記仮設基礎を前記下副筋ごと切断する過程、
前記仮設基礎の解体時において前記仮設基礎の長手方向に垂直な平面で切断されることが予定された前記仮設基礎の長手方向における位置の、前記仮設基礎の上面、及び両側面を、回転刃を有する回転刃カッターにより、前記仮設基礎の上面、及び両側面の近辺にある副筋ごと前記回転刃の半径の長さよりも浅い深さで切断する過程、
前記仮設基礎の長手方向に垂直な平面内に位置する、前記第１管及び前記第２管の中を通された前記ワイヤソーにより囲まれた範囲の前記仮設基礎を前記下副筋ごと前記第１管及び前記第２管の中を通された前記ワイヤソーにより切断する過程と、当該平面内に位置する、前記仮設基礎の上面、及び両側面を、前記仮設基礎の上面、及び両側面の近辺にある副筋ごと前記回転刃カッターで切断する過程とが終わった後に、当該平面内の切断されずに残っている範囲をワイヤソーを用いずに切断する過程、
を、前記仮設基礎の解体時において前記仮設基礎の長手方向に垂直な平面で切断されることが予定された前記仮設基礎の長手方向における位置で行うことにより、前記仮設基礎を、当該位置毎に切断されたブロックにする、
仮設基礎の解体工法。
【請求項７】
前記回転刃カッターで切断する深さを、２０ｃｍ以下とする、
請求項６記載の仮設基礎の解体工法。
【請求項８】
前記仮設基礎の上面を切断する回転刃カッターとして、ロードカッターを用いる、
請求項６記載の仮設基礎の解体工法。
【請求項９】
前記仮設基礎の両側面を切断する回転刃カッターとして、ウォールカッターを用いる、
請求項６記載の仮設基礎の解体工法。
【請求項１０】
前記仮設基礎を前記仮設基礎の幅方向における所定の位置で、前記仮設基礎の長手方向に沿って切断する過程を更に含む、
請求項６記載の仮設基礎の解体工法。
【請求項１１】
前記仮設基礎の解体時において前記仮設基礎の長手方向に沿う鉛直な平面で切断されることが予定された前記仮設基礎の幅方向における位置の前記仮設基礎の前記主筋の下側の辺よりも下方の部分又は仮設基礎の下の地中に、ワイヤソーを通すことができる管である第３管が、当該位置における前記主筋の下側の辺の上に前記第３管と一対とされた第４管が、前記第４管と前記第３管とがともに、略水平であり、且つその長手方向が前記仮設基礎の長手方向に沿うようにして配されてなる、
請求項１記載の仮設基礎。
【請求項１２】
前記仮設基礎の長手方向における所定の位置に、前記仮設基礎を構成する前記コンクリートが打設されるときに用いられる前記仮設基礎の両側面に覆う型枠同士が離反しないようにするための棒状のセパレータが、前記仮設基礎の幅方向にわたるようにして前記コンクリートに埋設されており、
前記第４管は、前記セパレータのうち前記仮設基礎の上面から回転刃カッターで切断できないものを除いてもっとも高い位置にあるものの更に上に位置するようにして配されてなる、
請求項１１記載の仮設基礎。
【請求項１３】
請求項１１記載の仮設基礎の解体工法であって、
一対とされた前記第１管及び前記第２管の中を通すことにより、前記仮設基礎の解体時において前記仮設基礎の長手方向に垂直な平面で切断されることが予定された前記仮設基礎の長手方向における位置の前記仮設基礎のうち、前記第１管と前記第２管とに挟まれた範囲を前記ワイヤソーにより囲むとともに、前記ワイヤソーによって、前記ワイヤソーにより囲まれた範囲の前記仮設基礎を前記下副筋ごと切断する過程、
前記仮設基礎の解体時において前記仮設基礎の長手方向に垂直な平面で切断されることが予定された前記仮設基礎の長手方向における位置の、前記仮設基礎の上面、及び両側面を、回転刃を有する回転刃カッターにより、前記仮設基礎の上面、及び両側面の近辺にある副筋ごと前記回転刃の半径の長さよりも浅い深さで切断する過程、
前記仮設基礎の長手方向に垂直な平面内に位置する、前記第１管及び前記第２管の中を通された前記ワイヤソーにより囲まれた範囲の前記仮設基礎を前記下副筋ごと前記第１管及び前記第２管の中を通された前記ワイヤソーにより切断する過程と、当該平面内に位置する、前記仮設基礎の上面、及び両側面を、前記仮設基礎の上面、及び両側面の近辺にある副筋ごと前記回転刃カッターで切断する過程とが終わった後に、当該平面内の切断されずに残っている範囲をワイヤソーを用いずに切断する過程、
を、前記仮設基礎の解体時において前記仮設基礎の長手方向に垂直な平面で切断されることが予定された前記仮設基礎の長手方向における位置で行うことにより、前記仮設基礎を、当該位置毎に切断されたブロックにし、
更に、
一対とされた前記第３管及び前記第４管の中を通すことにより、前記仮設基礎の解体時において前記仮設基礎の長手方向に沿う鉛直な平面で切断されることが予定された前記仮設基礎の幅方向における位置の前記仮設基礎のうち、前記第３管と前記第４管とに挟まれた範囲を前記ワイヤソーにより囲むとともに、前記ワイヤソーによって、前記ワイヤソーにより囲まれた範囲の前記仮設基礎を前記主筋の下側の辺ごと切断する過程、
前記仮設基礎の解体時において前記仮設基礎の長手方向に沿う鉛直な平面で切断されることが予定された前記仮設基礎の幅方向における位置の、前記仮設基礎の上面を、回転刃を有する回転刃カッターにより、前記仮設基礎の上面の近辺にある主筋の上側の辺ごと前記回転刃の半径の長さよりも浅い深さで切断する過程、
前記仮設基礎の長手方向に沿う鉛直な平面内に位置する、前記第３管及び前記第４管の中を通された前記ワイヤソーにより囲まれた範囲の前記仮設基礎を前記主筋の下側の辺ごと前記第３管及び前記第４管の中を通された前記ワイヤソーにより切断する過程と、当該平面内に位置する、前記仮設基礎の上面を、前記仮設基礎の上面の近辺にある主筋の上側の辺ごと前記回転刃カッターで切断する過程とが終わった後に、当該平面内の切断されずに残っている範囲をワイヤソーを用いずに切断する過程、
を、前記仮設基礎の解体時において前記仮設基礎の長手方向に沿う鉛直な平面で切断されることが予定された前記仮設基礎の長手方向における位置で行うことにより、前記仮設基礎を、当該位置毎に切断されたブロックにする、
仮設基礎の解体工法。
【請求項１４】
請求項１２記載の仮設基礎の解体工法であって、
一対とされた前記第１管及び前記第２管の中を通すことにより、前記仮設基礎の解体時において前記仮設基礎の長手方向に垂直な平面で切断されることが予定された前記仮設基礎の長手方向における位置の前記仮設基礎のうち、前記第１管と前記第２管とに挟まれた範囲を前記ワイヤソーにより囲むとともに、前記ワイヤソーによって、前記ワイヤソーにより囲まれた範囲の前記仮設基礎を前記下副筋ごと切断する過程、
前記仮設基礎の解体時において前記仮設基礎の長手方向に垂直な平面で切断されることが予定された前記仮設基礎の長手方向における位置の、前記仮設基礎の上面、及び両側面を、回転刃を有する回転刃カッターにより、前記仮設基礎の上面、及び両側面の近辺にある副筋ごと前記回転刃の半径の長さよりも浅い深さで切断する過程、
前記仮設基礎の長手方向に垂直な平面内に位置する、前記第１管及び前記第２管の中を通された前記ワイヤソーにより囲まれた範囲の前記仮設基礎を前記下副筋ごと前記第１管及び前記第２管の中を通された前記ワイヤソーにより切断する過程と、当該平面内に位置する、前記仮設基礎の上面、及び両側面を、前記仮設基礎の上面、及び両側面の近辺にある副筋ごと前記回転刃カッターで切断する過程とが終わった後に、当該平面内の切断されずに残っている範囲をワイヤソーを用いずに切断する過程、
を、前記仮設基礎の解体時において前記仮設基礎の長手方向に垂直な平面で切断されることが予定された前記仮設基礎の長手方向における位置で行うことにより、前記仮設基礎を、当該位置毎に切断されたブロックにし、
更に、
一対とされた前記第３管及び前記第４管の中を通すことにより、前記仮設基礎の解体時において前記仮設基礎の長手方向に沿う鉛直な平面で切断されることが予定された前記仮設基礎の幅方向における位置の前記仮設基礎のうち、前記第３管と前記第４管とに挟まれた範囲を前記ワイヤソーにより囲むとともに、前記ワイヤソーによって、前記ワイヤソーにより囲まれた範囲の前記仮設基礎を前記主筋の下側の辺及び当該範囲にあるセパレータごと切断する過程、
前記仮設基礎の解体時において前記仮設基礎の長手方向に沿う鉛直な平面で切断されることが予定された前記仮設基礎の幅方向における位置の、前記仮設基礎の上面を、回転刃を有する回転刃カッターにより、前記仮設基礎の上面の近辺にある主筋の上側の辺及び前記第４管より上側にあるセパレータごと前記回転刃の半径の長さよりも浅い深さで切断する過程、
前記仮設基礎の長手方向に沿う鉛直な平面内に位置する、前記第３管及び前記第４管の中を通された前記ワイヤソーにより囲まれた範囲の前記仮設基礎を前記主筋の下側の辺及び当該範囲にあるセパレータごと前記第３管及び前記第４管の中を通された前記ワイヤソーにより切断する過程と、当該平面内に位置する、前記仮設基礎の上面を、前記仮設基礎の上面の近辺にある主筋の上側の辺及び前記第４管より上側にあるセパレータごと前記回転刃カッターで切断する過程とが終わった後に、当該平面内の切断されずに残っている範囲をワイヤソーを用いずに切断する過程、
を、前記仮設基礎の解体時において前記仮設基礎の長手方向に沿う鉛直な平面で切断されることが予定された前記仮設基礎の長手方向における位置で行うことにより、前記仮設基礎を、当該位置毎に切断されたブロックにする、
仮設基礎の解体工法。
【請求項１５】
前記回転刃カッターで切断されることにより前記仮設基礎の上面、又は両側面に形成された溝のうちの適宜な部分にセリ矢を打込むことにより、前記仮設基礎を割る過程を更に含む、
請求項６記載の仮設基礎の解体工法。
【請求項１６】
請求項６〜１０、１３〜１５のいずれかに記載の仮設基礎の解体工法によって得られたブロックである、漁礁、コンクリート重石、盛土止コンクリートブロック。
【発明の詳細な説明】
【技術分野】
【０００１】
本発明は、その内部に補強用の鉄筋である補強鉄筋を含むコンクリート製の仮設基礎を解体するための技術に主に関する。
【背景技術】
【０００２】
その内部に補強用の鉄筋である補強鉄筋を含むコンクリート製の仮設基礎が用いられる場面がある。例えば、建築物などの解体を行う現場で仮設基礎が用いられる。
建築物などを解体するには、解体現場においてパワーショベルなどの重機を用いて建築物を破壊し、細分化し、それによって生じた廃棄物を必要に応じて適当な方法で分別して廃棄する。このような解体作業を、例えば、住宅地、病院、或いは学校等の近辺で行う場合には、解体作業に伴って生じる騒音や埃が問題となり易い。また、解体の対象が焼却炉を含む清掃工場である場合などにおいては、焼却炉内に存在する有害物質がその周辺に飛散することを防ぐ必要がある。
それら問題を防ぐための技術として、解体の対象となる建築物などを仮設のテントでまるごと囲い、そのテント内で建築物などを解体するという技術が提案され、一部で実用されている。仮設のテントは、建築物などの解体を行う前に構築され、建築物などの解体が終わったら撤去される。そのようなテントは、建築物などをまるごと囲むものであり、平面視した場合には矩形であることが多い。そのようなテントの一辺は５０ｍを優に超える場合があり、またその高さは３０ｍを優に超える場合がある。要するにテントは巨大と言っても良い大きさである場合がある。
【０００３】
そのような巨大なテントを構築するにはその安定性の担保が必要となる。また、少なくとも日本においては建築基準法によりテントの安定性を担保することが要請されている。
テントの安定性を増すという観点から、テントの骨組みの下端を固定するための仮設基礎を、もっぱら地上に設けるということが行われている。かかる仮設基礎は、テントの各縁に沿って設けられ、そのそれぞれが略直方体形状である。その幅、高さはそれぞれ、これには限られないが一般的に６．５ｍ、１．３ｍ程度であり、またその長さは、その仮設基礎が沿う仮設のテントの辺に対応した長さとされ、結果長尺となる。つまり、巨大なテントに組合せられて使用される仮設基礎もかなりの大きさである。
仮設基礎は通常、多数の鉄筋により構成された補強鉄筋と、コンクリートから主になる。
【０００４】
テントと組合せて用いられる仮設基礎は、仮設のテントと同様に、建築物などの解体を行う前に構築され、建築物などの解体が終わったら撤去される。
ここで、上述したようにかなりの大きさである仮設基礎をどのように撤去するのかということが問題となる。仮設基礎は通常、それを解体した後にトラックに載せて搬出するので、少なくともトラックに載せられる程度の大きさ及び重量になるまで、小さく解体する必要がある。従来、仮設基礎は、いずれの分割を先に行うかは問わないが、その長手方向に沿う平面で、幅方向の中心で縦に２分割され、且つその長手方向に垂直な平面で、適当な長さ毎に分割されている。そのようにして、仮設基礎は、トラックに載せることが可能な大きさ及び重量の略直方体形状のブロックに分割することにより解体される。
【発明の概要】
【発明が解決しようとする課題】
【０００５】
まず、仮設基礎に含まれる補強鉄筋について、簡単に説明する。仮設基礎は主にコンクリートでできているが、その強度を高めるために補強鉄筋が埋め込まれている。補強鉄筋は鉄筋でできており、大きく分けて２種類ある。まず第１に主筋、第２に副筋である。主筋は、仮設基礎の長手方向における適宜の位置に所定の間隔を空けて埋め込まれる鉄筋である。主筋は仮設基礎の長手方向に垂直な平面に乗るようにして、当該平面と仮設基礎の外周とが成す矩形を構成する４つの辺のすぐ内側を通るようにされた４本の辺を持つ矩形の輪状に構成されている。他方、副筋は、仮設基礎の長手方向に走る鉄筋である。副筋は、その長手方向のところどころで、そこに存在する主筋に固定されており、主筋に当接しながら、主筋がなす上述の矩形の輪の中を通っている。結果、副筋は、仮設基礎の上面、底面、及び両側面の近辺を通ることになる。また、副筋は、主筋がなす矩形の４辺のそれぞれに対して、隣接するものと所定の間隔を空けて複数本ずつ固定されている。
このような仮設基礎を分割する場合において、上述した補強鉄筋がその妨げとなる。例えば、仮設基礎を分割する場合において、補強鉄筋が存在しないのであれば、例えばセリ矢と呼ばれる一種の楔を用いることによりそれを実現することは容易である。セリ矢は元々は岩を割るために用いられていた器具であるが、仮設基礎のような人工物の分割にも応用することが可能である。補強鉄筋のない仮設基礎であれば、その長手方向に沿う鉛直な平面でも、長手方向に垂直な平面でも、好きなように分割できる。
ところが、実際には仮設基礎の中には補強鉄筋が存在する。例えば、仮設基礎を、その長手方向に垂直な平面で、適当な長さ毎に分割する場合には、分割が行われる平面が、仮設基礎の長手方向に走る鉄筋により構成された副筋と必ず干渉する（副筋がかかる平面を貫く）ことになる。そうすると、上述のセリ矢の如き、コンクリートを「割る」ことはできても鉄筋を切断することのできない技術では、上記平面において仮設基礎を分割することができなくなる。同様に、仮設基礎をその長手方向に沿う鉛直な平面で切断しようとした場合には、主筋の上下の辺に相当する鉄筋がその平面と干渉する。したがって、この場合にも、コンクリートを「割る」ためのセリ矢の如き技術では、当該平面で仮設基礎を分割することはできないことになる。つまり、切断を行おうとする平面内に、当該平面を貫通する補強鉄筋の一部である（或いはそれ以外の）鉄筋が存在するのであれば、その平面における仮設基礎の分割は難しいものとなる。
かかる課題を解決するには、補強鉄筋等の鉄筋を切断することが可能な器具で、仮設基礎を切断すれば良い。例えば、道路の表面を切断するロードカッターを用いれば、かかる切断の一部は可能である。切断の一部が可能というのは、そのような器具で切断することのできる深さはそれほど深くないので、補強鉄筋等の一部はそれらの器具で切断できるものの、補強鉄筋等の残部にそれらの器具で切断できないものが残ってしまうという意味である。例えば、主筋の底辺にあたる部分のうち仮設基礎の幅方向の中心付近、或いは主筋の底辺に当接している副筋のうち仮設基礎の幅方向の中心付近にあるものは、ロードカッターを用いて仮設基礎の表面から切断するのは到底不可能である。
そのような点を考慮してワイヤソーが用いられている。ワイヤソーは、一般的には、スチール製のワイヤの周囲にダイヤモンドビーズを焼結させてなるものであり、それを切断の対象となる対象物に巻きつけて、テンションをかけながら移動させることにより対象物を切断するために用いられる。仮設基礎を仮設基礎の長手方向に垂直な平面で分割する場合であれば、ワイヤソーを、仮設基礎の長手方向に垂直な上述の平面と仮設基礎の外面との交線上に位置するようにしつつ仮設基礎に巻きつけて、その状態でワイヤソーを移動させることにより、補強鉄筋（この場合には、そのうちの副筋）もろとも仮設基礎を分割することができるのである。もっともこれを行うには仮設基礎の下側を横断するようにしてワイヤソーを潜らせることが必要となる。ワイヤソーを潜らせるための孔を仮設基礎の下に位置する地盤に都度設けるのが手間であるため、ワイヤソーを潜らせるためのパイプを仮設基礎の下に予め埋めておく等の工夫も既に提案されている。
【０００６】
しかしながら、上述の如きワイヤソーを用いる仮設基礎の解体工法にも改良すべき点がある。ワイヤソーを用いた対象物の切断は一般的に非常に高価である。ワイヤソーは対象物を切断するに連れて劣化していくため、切断面積に応じてそのコストが嵩んでいく。少なくとも現状では、ワイヤソーを用いた対象物の切断は、専門の業者に依頼することが必要であり、またその料金設定は通常、切断面積に応じた従量制となっている。
仮設基礎の解体を行う場合におけるワイヤソーによる切断は、上述のように、仮設基礎の長手方向に垂直な平面で、適当な長さ毎に行われる。この場合、その切断箇所は仮設基礎の長さに応じて増えていく。また、上述の方法におけるある切断面の面積は、仮設基礎の長手方向に垂直な断面の面積に等しい。したがって、仮設基礎の解体は非常に高価になる。少なくとも従来の仮設基礎は、廃棄物となるものであるが、ブロックをトラックに載せて搬出して最終的に廃棄を行うために多額の費用が使われるということは、当然に好ましいものではない。
特に長手方向に垂直な平面で適当な長さ毎に切るというのは、長尺の仮設基礎を解体する場合には避けては通れないのであるから、上述の不具合は従来は不可避なものである。
【０００７】
そして、このような仮設基礎の解体の問題は、仮設のテントの仮設基礎に限らず存在する。
【０００８】
本願発明は、仮設基礎の安価な解体方法、特には長手方向に垂直な平面で適当な長さ毎に分割する解体方法を提案することをその主たる課題とし、長手方向に沿う鉛直な平面で分割する解体方法をも併せて提案することをその更なる課題とする。
【課題を解決するための手段】
【０００９】
上述の課題を解決するため、本願発明者は以下の発明を提案する。
本願発明者がまず提案するのは、長尺の略直方体形状であり、その上面、底面、及び両側面の近辺に、その長手方向の適宜の複数の位置におけるその長手方向に垂直な平面上に位置するようにされた矩形の主筋と、その長手方向に沿うようにして多数配列された状態で埋設された前記主筋と接続された副筋と、からなる補強鉄筋を有している、コンクリートでできた仮設基礎である。かかる仮設基礎の構成は、従来の仮設基礎と変わらない。また、かかる仮設基礎は、仮設テント用のものであってもそうでなくても良い。
そして、本願発明による仮設基礎は、前記仮設基礎の解体時において前記仮設基礎の長手方向に垂直な平面で切断されることが予定された前記仮設基礎の長手方向における位置の前記仮設基礎の、前記仮設基礎中の底面の近辺に埋設された副筋である下副筋よりも下方の部分又は仮設基礎の下の地中に、ワイヤソーを通すことができる管である第１管が、当該位置における下副筋の上に前記第１管と一対とされた第２管が、前記第１管と前記第２管とがともに、略水平であり、且つその長手方向が前記仮設基礎の長手方向に垂直となるように配されてなる。
かかる仮設基礎は、例えば以下の仮設基礎の構築方法により構築することができる。
その方法は、長尺の略直方体形状であり、その上面、底面、及び両側面の近辺に、その長手方向の適宜の複数の位置におけるその長手方向に垂直な平面上に位置するようにされた矩形の主筋と、その長手方向に沿うようにして多数配列された状態で埋設された前記主筋と接続された副筋と、からなる補強鉄筋を有している、コンクリートでできた仮設基礎の構築方法であって、前記仮設基礎の解体時において前記仮設基礎の長手方向に垂直な平面で切断されることが予定された前記仮設基礎の長手方向における位置の前記仮設基礎の、前記仮設基礎中の底面の近辺に埋設された副筋である下副筋よりも下方の部分又は仮設基礎の下の地中に、ワイヤソーを通すことができるものであり、少なくとも前記仮設基礎の幅方向にわたる管である第１管と、当該位置における下副筋の上にワイヤソーを通すことができるものであり、少なくとも前記仮設基礎の幅方向にわたる管である第２管を一対として、前記第１管と前記第２管とがともに、略水平であり、且つその長手方向が前記仮設基礎の長手方向に垂直となるように配する、仮設基礎の構築方法である。
かかる構築方法では、前記第１管と前記第２管とを配してから、前記コンクリートを打設するようにしても良い。
【００１０】
本願発明による仮設基礎を、その長手方向に垂直な平面で切断するのは容易である。それは、以下のような方法による。
その方法は、本願発明による仮設基礎の解体工法であって、一対とされた前記第１管及び前記第２管の中を通すことにより、前記仮設基礎の解体時において前記仮設基礎の長手方向に垂直な平面で切断されることが予定された前記仮設基礎の長手方向における位置の前記仮設基礎のうち、前記第１管と前記第２管とに挟まれた範囲を前記ワイヤソーにより囲むとともに、前記ワイヤソーによって、前記ワイヤソーにより囲まれた範囲の前記仮設基礎を前記下副筋ごと切断する過程、前記仮設基礎の解体時において前記仮設基礎の長手方向に垂直な平面で切断されることが予定された前記仮設基礎の長手方向における位置の、前記仮設基礎の上面、及び両側面を、回転刃を有する回転刃カッターにより、前記仮設基礎の上面、及び両側面の近辺にある副筋ごと前記回転刃の半径の長さよりも浅い深さで切断する過程、を、前記仮設基礎の解体時において前記仮設基礎の長手方向に垂直な平面で切断されることが予定された前記仮設基礎の長手方向における位置の例えばすべての位置で行うことにより、前記仮設基礎を、当該位置毎に切断されたブロックにする、というものである。
従来の仮設基礎の解体工法においてコストが嵩む原因となっていた原因の1つは、従来のワイヤソーを用いて行われる仮設基礎の長手方向に垂直な平面での切断が、仮設基礎の長手方向に垂直な断面の全体に及んでいたということにある。これに対し、本願の仮設基礎の解体工法では、当該切断面のうち、ワイヤソーを用いて切断される範囲は、仮設基礎における当該切断面のうちの一対の第１管と第２管とに挟まれた範囲だけである。これによりワイヤソーを用いて切断が行われる範囲が減少するので（上述の如き切断は、仮設基礎の長手方向における切断が必要な複数箇所で行われるから、ワイヤソーを用いて切断が行われる範囲を減少させられるという効果は非常に大きく効いてくる。）、この解体工法を用いることにより、仮設基礎を解体する場合のコストを抑制することが可能となる。
なお、仮設基礎の切断面のうちの第１管と第２管とで挟まれた部分は上述のように、第１管と第２管により囲まれたワイヤソーを用いて切断される。他方、仮設基礎の切断面のうちの上面及び両側面は、回転刃を有する回転刃カッターにより、回転刃の半径の長さよりも浅い深さで切断される。このとき、回転刃カッターにより、仮設基礎の上面、及び両側面の近辺にある副筋も切断される。つまり、仮設基礎の切断面となる部分を囲む副筋のうち、下副筋はワイヤソーにより、その他の副筋は回転刃カッターによりそれぞれ切断される。なお、前記仮設基礎の上面を切断する回転刃カッターとしては、ロードカッターを用いることができ、前記仮設基礎の両側面を切断する回転刃カッターとしては、ウォールカッターを用いることができる。ロードカッターとウォールカッターはいずれも公知のもので良い。
そうすると、仮設基礎の切断面となる部分には、副筋により囲まれた範囲であって、ワイヤソーにより切断された範囲の上側に位置する範囲が切断されていない状態で残ることになる。ただし、この範囲には基本的に仮設基礎をその長手方向に垂直な平面で切断するのを妨げる主筋等が存在しないため（逆に言えば、仮設基礎をその長手方向に垂直な平面で切断する位置は、そこに主筋（或いは実施形態で述べるセパレータ、接続金具等）がない位置としておけば良い。）、公知或いは周知の技術で適当に切断することができる。この部分の切断は、例えば、前記回転刃カッターで切断されることにより前記仮設基礎の上面、又は両側面に形成された溝のうちの適宜な部分に、必要に応じて溝の幅を広げるような溝の深さ方向に伸びる穴を穿った上で、その溝乃至穴に例えばセリ矢である楔を打込むことにより、前記仮設基礎を割ることにより行うことが可能である。
要するに、本願発明における仮設基礎の解体工法は、副筋のうち回転刃カッターで切断することが可能な仮設基礎の上面、及び両側面の近辺にある副筋を回転刃カッターで切断してしまい、回転刃カッターではどうしても切断することのできない下副筋及びその周辺のみをワイヤソーで切断するようにすることで、仮設基礎をその長手方向に垂直な平面で切断する場合においてワイヤソーで切断を行う面積を小さくするというものである。そのようなワイヤソーでの切断を行うには、下副筋を含む、仮設基礎の長手方向に垂直な断面よりも小さい面積の所定の部分をワイヤソーで囲む必要がある。それを可能とするのが、第１管と第２管とを備えた本願発明における仮設基礎なのである。かかる観点からすれば、第１管は、仮想基礎中であるか地中であるかを問わず、下副筋よりも下方に位置すればよく、第２管は、仮想基礎中の下副筋よりも上方に位置すれば良いということになる。
なお、本願発明における仮設基礎の解体工法では、前記回転刃カッターで切断する深さを、２０ｃｍ以下とすることができる。この程度の深さの切断であれば、通常の回転刃カッターでそれを行うことが可能である。
【００１１】
上述のように、本願発明の仮設基礎の解体工法では、ワイヤソーによって切断しなければならない仮設基礎の長手方向に垂直な断面の面積を小さくすることにより、仮設基礎の解体に要するコストを抑制する。したがって、ワイヤソーによって切断しなければならない仮設基礎の長手方向に垂直な断面の面積は小さければ小さい程良い。
ワイヤソーによって切断される仮設基礎の長手方向に垂直な断面は、仮設基礎がその長手方向に垂直な平面で切断される部分における、下副筋を少なくとも含む当該部分の下側の矩形の範囲である。その矩形の範囲の下側の辺は、第１管が地中にある場合には仮設基礎の底面に一致し、第１管が仮想基礎中にある場合には第１管に一致するが、その上側の辺は第２管に一致する。したがって、当該矩形の範囲を小さくするには、第２管は、下副筋の上であり且つなるべく下副筋（副鉄筋（腹筋））に近い位置に存在するのが好ましい。
例えば、前記第２管は、前記下副筋の上２０ｃｍ以内に配することができる。この範囲であれば、ワイヤソーにより切断される上記矩形の範囲は十分に小さいと言える。
第１管と第２管とは、いずれも管であり、その長さが仮設基礎の幅より長ければ、特にその構成は問わない。例えば、塩化ビニル（ＰＶＣ）製の市販のパイプを第１管及び第２管に用いることができるし、或いはシース管・紙ボイド管・電線管を第１管及び第２管に用いることができる。また、第１管と、第２管とには、柔軟な管、例えば、水道用の合成ビニルホースを用いることもできる。
また、前記第１管と、前記第２管とは、少なくともその一方の硬度が、前記コンクリートよりも低くなっていてもよい。ワイヤソーは、第１管と第２管とを貫通した状態に配されてから、仮設基礎がその長手方向に垂直な平面で切断される部分における、下副筋を少なくとも含む当該部分の下側の矩形の範囲を切断する際、つまり、ワイヤソーがその矩形の範囲を切断する際には、第１管と第２管もワイヤソーにより切断される。第１管又は第２管或いはその双方がコンクリートよりもその硬度が低ければ、第１管、第２管を切断するときのワイヤソーにかかる負担を小さくすることができる。
また、第１管と、第２管とは、第１管は多くの場合には地中に埋設され、第２管はコンクリートに埋設されるが、それに耐えられる程度に薄くされているのが、それらの硬度を下げるのと同様の理由から好ましい。
【００１２】
本願発明の仮設基礎の解体工法で解体される仮設基礎は、場合によっては、その長手方向に垂直な平面で適当に切断しただけで、かかる切断によって得られる各ブロックをトラックに載せて廃棄することが可能となる。もっとも、仮設基礎は、その幅方向の適当な位置で更に切断しなくては、各ブロックをトラックに載せられないこともある。そのような場合には、前記仮設基礎を前記仮設基礎の幅方向における所定の位置で、前記仮設基礎の長手方向に沿って切断する過程を更に含んでも良い。なお、仮設基礎を、その長手方向に垂直な平面で分割する過程と、仮設基礎を、その長手方向に沿う鉛直な平面で分割する過程とは、いずれが先に行われてもよく、更に言えば、両過程におけるワイヤソーによる切断の過程を、両過程における回転カッターによる切断に先んじる等、両過程の一部が重複する（或いは前後する）ように実行されても構わない。
仮設基礎の長手方向に沿う鉛直な面による分割が予定される場合、仮設基礎は、既述の特徴に加えて更に、以下のような構成を有するものとすることができる。
その仮設基礎は例えば、前記仮設基礎の解体時において前記仮設基礎の長手方向に沿う鉛直な平面で切断されることが予定された前記仮設基礎の幅方向における位置の前記仮設基礎の前記主筋の下側の辺よりも下方の部分又は仮設基礎の下の地中に、ワイヤソーを通すことができる管である第３管が、当該位置における前記主筋の下側の辺の上に前記第３管と一対とされた第４管が、前記第４管と前記第３管とがともに、略水平であり、且つその長手方向が前記仮設基礎の長手方向に沿うようにして配されてなる。
このような仮設基礎は、例えば、以下の方法で解体することができる。
その方法は、一対とされた前記第１管及び前記第２管の中を通すことにより、前記仮設基礎の解体時において前記仮設基礎の長手方向に垂直な平面で切断されることが予定された前記仮設基礎の長手方向における位置の前記仮設基礎のうち、前記第１管と前記第２管とに挟まれた範囲を前記ワイヤソーにより囲むとともに、前記ワイヤソーによって、前記ワイヤソーにより囲まれた範囲の前記仮設基礎を前記下副筋ごと切断する過程、前記仮設基礎の解体時において前記仮設基礎の長手方向に垂直な平面で切断されることが予定された前記仮設基礎の長手方向における位置の、前記仮設基礎の上面、及び両側面を、回転刃を有する回転刃カッターにより、前記仮設基礎の上面、及び両側面の近辺にある副筋ごと前記回転刃の半径の長さよりも浅い深さで切断する過程、を、前記仮設基礎の解体時において前記仮設基礎の長手方向に垂直な平面で切断されることが予定された前記仮設基礎の長手方向における位置で行うことにより、前記仮設基礎を、当該位置毎に切断されたブロックにする方法を基本とする。この方法は、仮設基礎をその長手方向に垂直な平面で分割する、既述の方法と同じである。
そして、この方法は、更に、一対とされた前記第３管及び前記第４管の中を通すことにより、前記仮設基礎の解体時において前記仮設基礎の長手方向に沿う鉛直な平面で切断されることが予定された前記仮設基礎の幅方向における位置の前記仮設基礎のうち、前記第３管と前記第４管とに挟まれた範囲を前記ワイヤソーにより囲むとともに、前記ワイヤソーによって、前記ワイヤソーにより囲まれた範囲の前記仮設基礎を前記主筋の下側の辺ごと切断する過程、前記仮設基礎の解体時において前記仮設基礎の長手方向に沿う鉛直な平面で切断されることが予定された前記仮設基礎の幅方向における位置の、前記仮設基礎の上面を、回転刃を有する回転刃カッターにより、前記仮設基礎の上面の近辺にある主筋の上側の辺ごと前記回転刃の半径の長さよりも浅い深さで切断する過程、を、前記仮設基礎の解体時において前記仮設基礎の長手方向に沿う鉛直な平面で切断されることが予定された前記仮設基礎の長手方向における位置で行うことにより、前記仮設基礎を、当該位置毎に切断されたブロックにする、という方法を含む。この方法における第３管と、第４管は、仮設基礎をその長手方向に垂直な平面で切る場合における第１管と、第２管にそれぞれ相当する。これにより、第３管と第４管とに挟まれた矩形の範囲のみをワイヤソーにより、主筋の下側の辺ごと切断し、また主筋の上側の辺は仮設基礎の上面から回転カッターで切断することにより、仮設基礎の幅方向における仮設基礎の長手方向に沿う鉛直な平面で切断が行われる位置における当該平面を貫通する主筋が存在しなくなるから、当該平面での例えば楔を使うなどした以後の分割が容易となる。第３管と第４管とは、主筋の下側の辺を切断することに主眼を置くものであるので、第３管は、それが仮設基礎中にあるを地中にあるを問わず、主筋の下側の辺よりも下側に位置すれば良い。他方、第４管は、後述するような配慮すべきセパレータがある場合を除き、主筋よりも上側に位置すれば良いということになる。なお、第３管、第４管は、その配される位置及び長さを除き、第１管、第２管と同様のものとすることができる。
実施形態で詳しく説明するが、仮設基礎はセパレータを有する場合がある。セパレータを有し、且つ仮設基礎の長手方向に沿う鉛直な面による分割が予定される場合、仮設基礎は、既述の特徴に加えて更に、以下のような構成を有するものとすることができる。
その仮設基礎は、前記仮設基礎の長手方向における所定の位置に、前記仮設基礎を構成する前記コンクリートが打設されるときに用いられる前記仮設基礎の両側面に覆う型枠同士が離反しないようにするための棒状のセパレータが、前記仮設基礎の幅方向にわたるようにして前記コンクリートに埋設されており、前記第４管は、前記セパレータのうち前記仮設基礎の上面から回転刃カッター（これは、既に説明したロードカッターでも良い。）切断できないものを除いてもっとも高い位置にあるものの更に上に位置するようにして配されてなる。
かかる仮設基礎は、例えば以下の方法により解体することができる。
その仮設基礎の解体工法は、一対とされた前記第１管及び前記第２管の中を通すことにより、前記仮設基礎の解体時において前記仮設基礎の長手方向に垂直な平面で切断されることが予定された前記仮設基礎の長手方向における位置の前記仮設基礎のうち、前記第１管と前記第２管とに挟まれた範囲を前記ワイヤソーにより囲むとともに、前記ワイヤソーによって、前記ワイヤソーにより囲まれた範囲の前記仮設基礎を前記下副筋ごと切断する過程、前記仮設基礎の解体時において前記仮設基礎の長手方向に垂直な平面で切断されることが予定された前記仮設基礎の長手方向における位置の、前記仮設基礎の上面、及び両側面を、回転刃を有する回転刃カッターにより、前記仮設基礎の上面、及び両側面の近辺にある副筋ごと前記回転刃の半径の長さよりも浅い深さで切断する過程、を、前記仮設基礎の解体時において前記仮設基礎の長手方向に垂直な平面で切断されることが予定された前記仮設基礎の長手方向における位置で行うことにより、前記仮設基礎を、当該位置毎に切断されたブロックにする方法を基本とする。この方法は、仮設基礎をその長手方向に垂直な平面で分割する、既述の方法と同じである。
そして、この方法は、更に、一対とされた前記第３管及び前記第４管の中を通すことにより、前記仮設基礎の解体時において前記仮設基礎の長手方向に沿う鉛直な平面で切断されることが予定された前記仮設基礎の幅方向における位置の前記仮設基礎のうち、前記第３管と前記第４管とに挟まれた範囲を前記ワイヤソーにより囲むとともに、前記ワイヤソーによって、前記ワイヤソーにより囲まれた範囲の前記仮設基礎を前記主筋の下側の辺及び当該範囲にあるセパレータごと切断する過程、前記仮設基礎の解体時において前記仮設基礎の長手方向に沿う鉛直な平面で切断されることが予定された前記仮設基礎の幅方向における位置の、前記仮設基礎の上面を、回転刃を有する回転刃カッターにより、前記仮設基礎の上面の近辺にある主筋の上側の辺及び前記第４管より上側にあるセパレータごと前記回転刃の半径の長さよりも浅い深さで切断する過程、を、前記仮設基礎の解体時において前記仮設基礎の長手方向に沿う鉛直な平面で切断されることが予定された前記仮設基礎の長手方向における位置で行うことにより、前記仮設基礎を、当該位置毎に切断されたブロックにする、という方法を含む。この方法における第３管と、第４管は、仮設基礎をその長手方向に垂直な平面で切る場合における第１管と、第２管にそれぞれ相当する。これにより、第３管と第４管とに挟まれた矩形の範囲のみをワイヤソーにより、主筋の下側の辺及び回転カッターで仮設基礎の上面から切断することのできないすべてのセパレータごと切断し、また主筋の上側の辺及び仮設基礎の上面から回転カッターで切断できるセパレータは仮設基礎の上面から回転カッターで切断することにより、仮設基礎の幅方向における仮設基礎の長手方向に沿う鉛直な平面で切断が行われる位置における当該平面を貫通する主筋及びセパレータが存在しなくなるから、当該平面での例えば楔を使うなどした以後の分割が容易となる。
なお、本体をその長手方向に沿う鉛直な平面で切断するときに、本体の上面を切断するために用いられる回転刃カッターは、上述したロードカッターとすることができ、それにより切断する深さは２０ｃｍ以内とすることができる。
【００１３】
本願発明の仮設基礎の解体工法によれば、多数の略直方体形状のブロックが得られる。かかるブロックは廃棄しても良いが再利用できるのであればその方が好ましい。本願の仮設基礎の解体工法によって得られたブロックは例えば、漁礁、コンクリート重石、盛土止めコンクリートブロックとして再利用することができる。
【図面の簡単な説明】
【００１４】
【図１】本発明の好ましい実施形態における仮設基礎の基本的構成を示す斜視図。
【図２】本発明の好ましい実施形態における仮設基礎の基本的構成を示すＡ−Ａ断面図。
【図３】図１に示した仮設基礎の基本的構成を示す透視側面図。
【図４】図１に示した仮設基礎の構成を示すその長手方向に垂直な平面における断面図。
【図５】図１に示した仮設基礎の構成を示す（Ａ）透視平面図、（Ｂ）透視側面図。
【図６】図１に示した仮設基礎の解体の方法を示す、図４と同じ位置における本体の断面図。
【図７】図１に示した仮設基礎の解体の方法を示す、図４と同じ位置における本体の断面図。
【図８】図１に示した仮設基礎の解体に用いられるセリ矢の構成を示す図。
【図９】図１に示した仮設基礎の解体により得られるブロックの形状の一例を示す斜視図。
【図１０】図９に示したブロックを得るために必要な第３管、第４管の配置状態を示す、図４と同じ位置における本体の断面図。
【図１１】図４に示した第１管の位置を変更した本体の構成を示す、図４と同じ位置における本体の断面図。
【発明を実施するための形態】
【００１５】
以下、本発明の好ましい実施形態を、図面を参照しながら詳細に説明する。
【００１６】
なお、この仮設基礎は、仮設のテントの基礎として用いられる。仮設基礎は、仮設のテントを施工する前に構築され、仮設のテントが撤去された後に解体され撤去される。仮設基礎は、テントの外周に沿って適宜の間隔で立てられる多数の柱の下端と接続されることで、多数の柱を支持するものであり、それ故テントの下端に沿って設けられる。テントが平面視矩形である場合、その矩形の各辺にそれぞれが対応した、直線状の４本の仮設基礎が設けられ、その役割を終えた後解体され撤去されることになる。
もっとも、仮設基礎は仮設のテントの基礎である必要はなく、他の建築物或いは構築物の基礎であっても構わない。
【００１７】
図１〜図３に、この実施形態における仮設基礎の構成のうちの基本的な構成を示す。上述した４本の仮設基礎の構成は事実上どれも同じであり、図１〜図３に示されるのはそのうちの一本の仮設基礎の構成である。図１は斜視図であり、図２は仮設基礎のＡ−Ａ断面図であり、図３仮設基礎の透視側面図である。図１〜図３で示される仮設基礎の基本的な構成は、従来の仮設基礎の基本的な構成に同じである。つまり、これら図面に示されている仮設基礎の各構成は、従来の周知又は公知の構成と同じとすることができる。その構築方法においても同様である。
【００１８】
仮設基礎は、図１に示したように、本体１００を備えている。本体１００は、地面の上に設けられる。本体１００は、コンクリート製である。本体１００は略直方体形状であり、細長く構成されている。本体１００の長手方向の長さは、仮設のテントの４辺のうちのそれが対応させられる辺の長さと略等しい。
本体１００の上面からは、接続金具１１０の接続部１１１が突出している。接続金具１１０は、仮設のテントの柱等との接続を行うための金具であり、その機能を達成できるような形状とされている。これには限られないが、接続金具１１０の接続部１１１には、仮設のテントの柱と仮設基礎との接続を行うために用いられる孔１１１Ａが設けられている。図２に示されるように接続金具１１０はアンカー１１２を備えている。アンカー１１２はコンクリートの打設時において、コンクリートでできた本体１００の中に埋め込まれ、コンクリートが硬化した後の本体１００から脱落しないようにして本体１００に強固に固定されている。アンカー１１２は、孔であるアンカー孔１１３を備えている。アンカー孔１１３は、後述する補強鉄筋を構成する副筋のうちの本体１００の上面の近辺に配されるものを貫通させるための孔である。もっともアンカー孔１１３は必須ではなく、アンカー１１２と副筋のうちの本体１００の上面の近辺に配されるものとの干渉を避けるための構造が必要に応じてアンカー１１２に設けられていれば十分である。
なお、この実施形態では接続金具１１０は本体１００の長手方向に沿って等間隔で一列に設けられているが、接続金具１００は等間隔に配列される必要もないし、一列に設けられる必要もない。接続金具１１０の配置は、仮設のテントの柱等の配置にしたがって、仮設のテントの柱等を確実に支持できるような位置に、確実に支持できるような数だけ設ければ良い。
【００１９】
本体１００の内部には、補強鉄筋１２０が設けられている。補強鉄筋１２０は、主筋１２２と、副筋１２１とからなる。
主筋１２２は、本体１２２の縦方向及び横方向の圧縮に対する本体の強度を増すための鉄筋であり、本体１００内に配される。副筋１２２は鉄筋を矩形に構成したものである。主筋１２２は、それらが成す面が本体１００の長手方向に対して垂直になるようにして、所定の間隔で廃されている。主筋１２２間の間隔は一定でもそうでなくても良い。また、主筋１２２の上側、下側、及び両横側の各辺は、本体１００の上面、下面、及び両側面に近接した位置に位置するようになっている。
副筋１２１は、本体１００の長手方向の引っ張りに対する本体の強度を増すための鉄筋であり、本体１００内に配される。副筋１２１は、多数であり、それらの長手方向が本体１００の長手方向に沿うようにして適宜の間隔で配列される。副筋１２１の間隔は、一定でも良いしそうでなくても良い副筋１２１は主筋１２２が作る矩形の空間内側に、主筋１２２に当接させた状態で配される。各副筋１２１は、主筋１２２のそれぞれに固定され、特にコンクリートが打設される前においてその位置が保たれるようになっている。結果として、副筋１２１が配列されるのは、本体１００の表面の近辺、底面の近辺、両側面の近辺である。
主筋１２２、副筋１２１の素材、太さは、上記の目的が達成される範囲で適宜選択可能であり、その太さは例えば１３〜１６ｍｍ程度である。
なお、主筋１２２及び副筋１２１が配される場合における本体１００の表面、底面、両側面からの深さはすべて同じである必要はないが、それらが腐食しないようにするために必要な程度にコンクリートを被せるようにするのが一般的であり、その深さは５０ｍｍ程度とするのが一般的である。
なお、副筋１２１のうち、本体１００の底面の近辺に配列された鉄筋が本願でいう下副筋１２１Ｕである。
【００２０】
また、本体１００の内部には、補強鉄筋１２０以外に、共に鉄筋等（アングル等の金具を含む場合がある）で構成された、いずれも公知又は周知の支え組立筋１３０とセパレータ１４３とが埋設されている。
支え組立筋１３０は、本体１００の上面の近辺に配された主筋１２２と、副筋１２１が下方に下がるのを防ぐためのものである。支え組立筋１３０は、鉄筋を折り曲げて構成されており、その下端の脚部１３１とその上端の略水平な頭部１３２とを備えている。支え組立筋１３０は、その頭部１３２の上側で、下方から主筋１２２と、副筋１２１とを支えるようになっている。支え組立筋１３０は、上述の目的を果たすべく、本体１００の長さ方向の適宜の位置に複数配される。各支え組立筋１３０の幅方向は、本体１００の幅方向に一致するが、各支え組立筋１３０の本体１００の幅方向における位置は、必ずしも一致することを要しない。
セパレータ１４０は、本体１００を構成するコンクリートを打設する際に用いられる型枠のうち、本体１００の両側面を規定する型枠同士が互いに離反しないようにするために両型枠を結ぶ棒状体である。セパレータ１４０は、本体１００の長手方向のうちの適宜の位置に配される。適宜の位置は通常複数である。セパレータ１４０は、その適宜の位置において、その長手方向が本体１００の幅方向に沿うようにして略水平に配されるのが通例であり、且つその適宜の位置に上下に複数本配されることが多い。当該適宜の位置において、セパレータ１４０は、本体１００の底面の近く（一般的には、底面から１５ｃｍ程上の位置）と、本体１００１００の上面の近く（一般的には、上面から１５ｃｍ程下の位置）に少なくとも配され、場合によっては、それら２本のセパレータ１４０の間にも適当な本数だけ配される。この実施形態では、ある平面内に上下に配されるセパレータ１４０の数は３本とされている。
補強鉄筋１２０、支え組立筋１３０、セパレータ１４０はいずれも、コンクリートの打設時において、コンクリートでできた本体１００の中に埋め込まれ、コンクリートが硬化した後の本体１００の中に固定される。
【００２１】
以上の基本的な構成に加えて、この実施形態における仮設基礎は、以下のような構成、すなわち、主には第１管と第２管とを備えている。
なお、図４以降の図面では、簡単のため、接続金具１１０、支え組立筋１３０、及びセパレータ１４０は図示を省略する場合がある。
【００２２】
後述するように仮設基礎は、解体される。かかる解体においては少なくとも、仮設基礎は、その長手方向における適宜の位置で、その長手方向に垂直な平面で分割されブロックとされる。
図４、図５に示したように、かかる分割が予定された位置のそれぞれに第１管２００と、第２管３００とが、上下に、一対として配される。分割が予定された位置は等間隔でもそうでなくても良い。この実施形態では、かかる間隔が等間隔でないものとして図５等に図示を行っているが、これは必ずしもこの限りではない。
第１管２００と、第２管３００とはともに管であり、略水平に配され、それらの長手方向は仮設基礎の長手方向と直交する。また、第１管２００と、第２管３００とは、平面視した場合にその両端が少なくとも仮設基礎の本体１００の幅方向の両端に及ぶ。第２管３００の両端はともに、仮設基礎の本体１００の幅方向の両端からいくらかはみででるようにされてもよいし、本体１００の側面に一致するようになっていてもよい。この実施形態では後者のようにされている。
第１管２００と、第２管３００とは、同じ素材、同じ構成の管であっても良いしそうでなくとも良い。この実施形態における第１管２００と第２管３００とはともに、その内径が、ワイヤソーが通る大きさ（例えば直径１６〜２０ｍｍ程度）とされ、その厚さが例えば３ｍｍ程度とされている。また、それらの素材は適宜選択でき例えば、第１管２００と、第２管３００とは、塩化ビニル管、或いはシース管、紙ボイド管、電線管等により構成することができるである。また、第１管２００と、第２管３００とには、柔軟な管、例えば、水道用の合成ビニルホースを用いることもできる。
【００２３】
第１管２００は、下副筋１２１Ｕよりも下方に位置するようにされ、この実施形態では地中に埋設される。地中に埋設される場合、第１管２００は、本体１００の直下に配されても構わないが、少なくとも本体１００の下１０ｃｍ以内の位置に設けられる。この場合の本体１００から第１管２００までの距離は、本体１００から第１管２００までの最短距離を意味することとする。
なお、第２管３００もそうであるが、第１管２００には後述するようにしてワイヤソーが通される。それを容易に行えるようにするには、第１管２００の両端が露出するようになっているのが好ましい。例えば、第１管２００の両端を地表に向けて曲折させることにより第１管２００の両端を地表から露出させるようにすることも可能であるが、この実施形態では、第１管２００の両端に相当する位置に穴２１０を掘ることにより、第１管２００の両端を露出させることにしている。すべての第１管２００についての穴２１０を連続させて溝とすることも可能である。なお、後述するようにして、第１管２００と第２管３００とを一連の管とすることも可能である。
なお、第１管２００は、図１１に示すように仮設基礎の本体１００中に設けることもできる。この場合、第１管２００は、下副筋１２１の下側（事実上、主筋１２２の下側の辺の下側）に位置するようにされる。この場合には、穴２１０は不要である。
第２管３００は、仮設基礎の本体１００の中に埋設される。第２管３００が埋設されるのは、本体１００の中でも下副筋１２１Ｕの上方である。第２管３００は、下副筋１２１Ｕの直上に配されても構わないが、少なくとも下副筋１２１Ｕ上方２０ｃｍ以内の位置に設けられる。この場合の下副筋１２１Ｕから第２管３００までの距離は、下副筋１２１Ｕから第２管３００までの最短距離を意味することとする。
【００２４】
かかる仮設基礎の構築方法は以下の通りである。
まず、第１管２００は、本体１００が作られる前に、後にその上に本体１００が作られる部分の地面を掘って図示を省略の溝を作り、その溝の中に配置されることにより、それが配されるべき位置に配される。穴２１０もこのタイミングで掘られるのが好ましいが、例えば本体１００が作られてから掘られても特に問題ない。
その後必要であれば溝に対して覆土をして第１管２００を覆土で必要に応じて覆った上で、本体１００を構成するコンクリートを適宜に成形するためのこれも図示を省略の型枠を組む。型枠の中には、補強鉄筋１２０、支え組立筋１３０、セパレータ１４０、接続金具１１０のアンカー１１２に加え、第２管３００が配される。その後、本体１００の形状を規定する型枠の中に型枠の中にコンクリートを打設し、適宜の期間をおいて硬化させることで、仮設基礎が完成することになる。
図１２の仮設基礎を構築する場合であれば、第１管２００を地中に埋め、必要に応じて覆土する過程を省略し、型枠の中に第１管２００をも配してから型枠の中にコンクリートを打設する。
【００２５】
かかる仮設基礎の使用方法は、通常の仮設基礎の使用方法と同じである。
仮設基礎の上にこの実施例では仮設のテントが構築される。通常、テントは、多数の柱を有する。上述の仮設基礎の上面に設けられた接続金具１１０が柱の下端を仮設基礎に固定するのに用いられる。柱が立てられたら、柱の周りをシートで覆い、また必要に応じて柱に梁を固定した上で屋根を構築する。そうすることで、仮設のテントが完成する。かかる仮設のテントの構築方法自体は周知又は慣用の技術と同じで良い。
不要になったら仮設のテントが撤去される。仮設のテントの撤去の方法も周知又は慣用の技術と同じで良い。
【００２６】
仮設のテントが不要になり撤去された後においては、仮設基礎も不要になる。仮設基礎が不要となったら仮設基礎を撤去する。仮設基礎の撤去の方法は以下の通りである。以下、ある仮設基礎の撤去の方法を説明するが、仮設基礎が複数あるのであればすべての仮設基礎に対して以下の方法を実行すれば良い。
仮設基礎を撤去するには、仮設基礎をその長手方向に対して垂直な平面で分割して、分割された多数のブロックとする。上述したように、仮設基礎の長手方向のうち、かかる分割が行われることが予定された位置には、第１管２００と第２管３００とが、上下に、一対として配置されている。つまり、この実施形態では、第１管２００と第２管３００とが上下に一対で配されている位置で、仮設基礎が分割される。なお、本体１００の長手方向における第１管２００と第２管３００が存在する位置には、主筋１２２、支え組立筋１３０、セパレータ１４０は存在しないから、これらが第１管２００と第２管３００とを含む本体１００の長手方向に垂直な平面で、本体１００を分割乃至切断することを妨げることはない。
【００２７】
かかる位置で仮設基礎を分割するには、３つの工程が必要である。そして、その３つの工程のうちの２つは、いずれが先に行われても良く、そして他の１つの工程は最後に行われる。
いずれが先に行われても良い２つの工程は次の２つである。そのうちの１つは、分割される仮設基礎の当該切断面における第２管３００よりも下側の部分を切断する過程である。そのうちの他の１つは、分割される仮設基礎の当該切断面における上面、及び両側面を、少なくともそれら上面、及び両側面の近辺にある副筋１２１ごと切断する工程である。
【００２８】
まず、分割される仮設基礎の当該切断面における第２管３００よりも下側の部分を切断する過程について、図６を用いて説明する。
分割される仮設基礎の当該切断面における第２管３００よりも下側の部分を切断する場合には、ワイヤソーを用いる。ワイヤソーは線状体であり、後述する動力装置含め周知、或いは公知のもので良く、この実施形態ではそうされている。
ワイヤソー４００は、例えば、第１管２００の一端側（例えば図６における左側）から第１管２００にその先端から挿入され、第１管２００の他端側から取出され、再び第２管３００の他端側（例えば図６における右側）から第２管３００にその先端から挿入され、第２管３００の一端側から取出される。これにより、分割される仮設基礎の当該切断面における第２管３００よりも下側の部分がワイヤソー４００により囲まれた状態となる。なお、第１管２００と第２管３００とは本体１００の側面の片側（例えば、図６の右側の両端部）において接続され一連とされていても良い。そうすれば、第１管２００の一端側から挿入されたワイヤソー４００は、そのまま第２管３００の一端側から取出されることになる。いずれにせよ、その後、ワイヤソー４００は、図示が省略された両端部を接続されることにより無端の輪状態とされ、図示を省略の周知又は公知のプーリーなどを用いて適切な張力を入れられつつ、その輪状とされたルート上を、これも図示を省略の周知又は公知の動力装置からの動力によって回転させられる。それにより、仮設基礎の切断面における本体１００のワイヤソー４００により囲まれた範囲（図７における１００Ａ）は、ワイヤソー４００により切断されることになる。このとき、第１管２００、第２管３００もワイヤソー４００により切断され、また、ワイヤソー４００に囲まれた範囲内に位置する下副筋１２１Ｕもワイヤソー４００により切断されることになる。
【００２９】
次に、分割される仮設基礎の当該切断面における上面、及び両側面を、少なくともそれら上面、及び両側面の近辺にある補強鉄筋１２０を構成する副筋１２１ごと切断する工程について説明する。これらの切断の場合には、回転刃を有する回転刃カッターを用いる。
まず、切断面における上面及びその近辺にある副筋１２１を切断する方法について説明する。この場合の切断には、回転刃カッターとして、ロードカッター５１０を用いる。ロードカッター５１０は路面切削機とも呼ばれる、例えばアスファルト舗装された路面等を切断するために用いられる、水平面に対する切断を行うための装置であり、周知又は公知のもので良い。ロードカッター５１０は、回転刃５１１を備える。この実施形態におけるロードカッター５１０は、本体１００の上面を本体１００の長手方向に対して直交する方向で切断する場合に、少なくとも本体１００の上面の近辺に埋設された副筋１２１を切断できるようなものである必要がある。もっとも、余りにも深く切断を行えるロードカッター５１０はその取回しが不便であるので、それが切断を行える深さは必ずしもこの限りではないが２０ｃｍ以下、好ましくは１５２０ｃｍ以下でよく、この実施形態ではそうされている。そのようなロードカッター５１０を、本体１００の長手方向に直交する方向で、その幅方向の一端側から他端側に直線上に移動させることで、切断面における上面及びその近辺にある副筋１２１を切断する。これにより切断される範囲は、図７における１００Ｂである。
次に、切断面における側面及びその近辺にある副筋１２１を切断する方法について説明する。この場合の切断には、回転刃カッターとして、ウォールカッター５２０を用いる。ウォールカッター５２０は、例えばコンクリートの壁面等を切断するために用いられる、垂直面に対する切断を行うための装置であり、周知又は公知のもので良い。ウォールカッター５２０は、回転刃５２１を備える。この実施形態におけるウォールカッター５２０は、本体１００の側面を鉛直な方向で切断する場合に、少なくとも本体１００の側面の近辺に埋設された副筋１２１を切断できるようなものである必要がある。もっとも、余りにも深く切断を行えるウォールカッター５２０はその取回しが不便であるので、それが切断を行える深さは必ずしもこの限りではないが２０ｃｍ以下、好ましくは１０ｃｍ以下でよく、この実施形態ではそうされている。そのようなウォールカッター５２０を、本体１００の側面において、上下方向の端部の一方から他方に向けて鉛直方向に直線的に移動させることで、切断面における側面及びその近辺にある副筋１２１を切断する。これにより切断される範囲は、図７における１００Ｃである。
図７に示したように、範囲１００Ａと範囲１００Ｃは、範囲１００Ａの両端と範囲１００Ｃの下端で重なり得る。また、図７に示したように、範囲１００Ｂと範囲１００Ｃは、範囲１００Ｂの両端と範囲１００Ｃの上端で重なり得る。これらの重なる範囲は、それら範囲を切断する２種類の切断のうち先に行われた方により切断される。そして、２種類の切断はいずれの箇所においてもどちらが先に行われても構わない。
【００３０】
いずれによせ、上述のような過程を経ることにより、仮設基礎は、その長手方向における分割される予定であったその平面内において、図７において示した、１００Ａ、１００Ｂ、１００Ｃの範囲が切断された状態となる。
補強鉄筋１２０はすべてこの範囲の中に含まれているので、この平面内における補強鉄筋１２０を構成する副筋１２１はすべてその切断が終わった状態となっている。なお、第１管２００が図１１に示した位置にある場合には、１００Ａの下側の辺は本体１００の底面から幾らか浮いた状態となるが、１００Ａの下側の辺よりも下方には、その部分を本体１００の長手方向に貫く鉄筋は存在しないから、以後の処理において問題が生じることはない。他方、かかる平面のうち補強鉄筋１２０に囲まれた範囲は未だ切断が終わっていない。
かかる範囲の切断は、これには限られないが例えば、楔を用いて行うことができる。楔としては図８に示した如きセリ矢を用いて行うことができる。セリ矢は、周知又は公知のもので良い。
セリ矢６００は、先端（下方）に向かって先細る矢６１０と、先端に向かってその幅が広くなっており、結果としてそれらの間隔が狭まっていく２つで一対とされた羽６２０とからなる。一対の羽６２０を、本体１００の上面又は側面に、ロードカッター５１０またはウォールカッター５２０の切断線上に、必要に応じて例えばコアドリルによって削孔された、本体１００の上面又は側面に垂直な穴に挿入し、その後羽６２０の間に矢６１０を例えばハンマー等を用いて打込むことにより、上記平面のうち補強鉄筋１２０により囲まれた範囲が分割される。本体１００のこの分割が行われる範囲には本体１００の長手方向にその平面を跨ぐ副筋１２１が存在しないために、本体１００のかかる範囲は簡単に割れる。なお、上述したように、接続金具１１０、１３０、セパレータ１４０は、本体１００の長手方向に伸びるものではないから、セリ矢６００を用いた上述の範囲の分割には問題は生じない。
【００３１】
上述のような切断を、本体１００の長手方向における、分割が行われることが予定された位置のすべての部分で行うことにより、仮設基礎が分割される。
かかる分割が行われることによって生じたブロックのそれぞれは、例えばクレーン車のクレーンを用いて吊り上げられ、トラックの荷台に載せてトラックにより搬出される。クレーンでブロックを吊り上げるときには、クレーンの吊り上げ用のケーブルの先端を、接続金具１１０に固定することが可能である。かかる搬出後におけるブロックは例えば、漁礁、コンクリート重石、盛土止めコンクリートブロックとして再利用可能である。
【００３２】
なお、本体１００を本体１００の長手方向に垂直な平面で分割したのみでは、それにより得られるブロックがトラックの荷台に載せられないこともあり得る。
そのような場合には、そのブロックを（或いは、ブロックに分割される前の本体１００を）更にその幅方向の適当な位置で本体１００の長手方向に沿う鉛直な平面で分割すれば良い。例えば、図９に示した例であれば、各ブロックはその幅方向の中央で、本体１００の長手方向に沿う方向で、縦に２分割される。
そのような本体１００の長手方向に沿う方向での分割が意図される場合には、図１０に示したように、地中に、本体１００の幅方向における分割が意図される部分（この実施形態では、幅方向の中央）の直下に、本体１００の長手方向に沿うようにされた第１管２００とその長さ以外は同様の管である第３管２５０を、少なくとも平面視した場合における本体１００の全長にわたるようにして、略水平に埋設しておけば良い。なお、第３管２５０が地中に埋設される場合は、第１管２００の場合と同様にその両端部に図示せぬ穴を設けることで、その両端を露出させることが可能である。また、第３管２５０は、主筋１２２の下側の辺よりも下側にあればそれは必ずしも地中にある必要はないので、第１管２００と同様に、主筋１２２の下側の辺よりも下側であれば本体１００中に存在しても構わない。
例えば、本体１００を本体１００の長手方向に垂直な平面で分割した後、かかる第１管２５０を用いて本体１００の長手方向の全長にわたって本体１００の下にワイヤソーを通し、それを折り返して本体１００の上面において本体１００の上面の幅方向の中央に沿わせれば、本体１００の長手方向の全長にわたり、且つ本体１００の幅方向の中央に相当する面が、ワイヤソーにより囲まれる。かかる範囲をワイヤソーにより切断することにより、上述のようにして作られた各ブロックを、その幅方向の中央で本体１００の長手方向に沿う方向でまとめて切断できる（なお、この場合には、図１０に示されてはいるが、後述する第４管は使用されない。）。
もっとも、この場合には、本体１００の長手方向に沿うかなり広い面積をワイヤソーにより切断することになりコストが嵩む。それを考慮すれば、仮設基礎の本体１００中における第３管２５０の真上に、第４管３５０を、第３管２５０と平行に埋設しておけば良い。ここで、第４管３５０は、長さを除き第３管２５０と同様に構成することができる。
第３管２５０及び第４管３５０は、仮設基礎の本体１００をその長手方向に垂直な平面で切断するときにおける第１管２００及び第２管３００と同様の機能を奏するものであり、同様の使い方をされるものである。つまり、第３管２５０及び第４管３５０は、仮設基礎の本体１００をその長手方向に垂直で鉛直な平面で切断する際に、より詳細にはその平面のうちの第３管２５０及び第４管３５０で挟まれた矩形の範囲を切断するために用いられる。より具体的には、第３管２５０と第４管３５０は、第３管２５０の一端からワイヤソー４００の先端を挿入して第３管２５０の他端からワイヤソー４００の先端を取出し、取出したワイヤソー４００を折り返してその先端を今度は第４管３５０の他端から挿入して第４管３５０の一端から取出すことにより、本体１００のうちのワイヤソー４００により切断される対象となる、第３管２５０と第４管３５０とで挟まれた矩形の範囲をワイヤソー４００により囲むために用いられる。
ここで、第３管２５０が配されるべき、本体１００内での高さ方向での位置は、本体１００の上面からロードカッター５１０で切断することのできない、主筋１２２（水平なものに限る。）及びセパレータ１４０をすべて切断することのできる高さとする必要がある。換言すれば、第３管２５０が配されるべき、本体１００内での高さ方向での位置は、本体１００の上面からロードカッター５１０で切断することのできない、主筋１２２（水平なものに限る）及びセパレータ１４０のうちもっとも高い位置にあるものよりも上側に配することが必要になる（もっとも、主筋１２２の上側の辺は通常、ロードカッター５１０で本体１００の上面から切断できるし、最も上側にあるセパレータ１４０も同様である。）。そうすることにより、本体１００をその幅方向の適当な位置で、本体１００の長手方向に沿う鉛直な平面で切断しようとした場合における当該平面を貫通する、主筋１２２及びセパレータ１４０を、ロードカッター５１０で切断するものを除いてすべて、ワイヤソー４００によって切断することが可能となるからである。
【００３３】
図１０においては、第４管３５０は、本体１００の高さ方向の中程に位置するセパレータ１４０の上側に位置している。それは、主筋１２２の上側の辺のみならず、上側のセパレータ１４０も、本体１００の上面における幅方向の中央で本体１００の長手方向に沿うようにしてロードカッター５１０を移動させることにより、ロードカッター５１０の回転刃５１１で切断することができるからである。
この例では、第３管２５０と第４管３５０の間に位置する２本のセパレータ１４０と、主筋１２２のうちの下側の辺とは、第２管２５０と第３管３５０とに通されたワイヤソー４００によって切断される。
また、最も上のセパレータ１４０と、主筋１２２の上側の辺とは、上述のようにして本体１００の上面を移動させたロードカッター５１０の回転刃５１１で切断する。
これにより、第３管２５０と第４管３５０とを通る平面によって規定される本体１００の長手方向に沿う鉛直な切断面には、それを貫通する鉄筋はなくなる。
その状態となったら、ロードカッター５１０による切断線上に、より詳細には切断線上に本体１００の上面に対して垂直に穿った穴の中にセリ矢６００を打込むことにより、上述のようにして作られたブロックを更に、本体１００の幅方向で２つに分割することができる。
なお、セパレータ１４０が本体１００の中に存在していないとすれば、第４管３５０の位置は、主筋１２２の下側の辺よりも上に位置していれば足りる。セパレータ１４０が存在しないのであれば、本体１００の上面からロードカッター５１０で切断することのできない、主筋１２２（水平なものに限る。）は、その下側の辺のみであり、それのみをワイヤソー４００によって切断すれば足りるからである。
いずれにせよ、第３管２５０を配する、本体１００内での高さ方向での位置を、本体１００の上面からロードカッター５１０で切断することのできない、主筋１２２（水平なものに限る）及びセパレータ１４０のうちもっとも高い位置にあるものよりも上側（のうちの現実的な範囲で低い位置）とすることにより、本体１００をその長手方向に沿う鉛直な平面で切断する場合において、ワイヤソー４００を用いて切断しなければならない面積を小さくすることが可能となる。
【００３４】
以上の説明では、仮設基礎を長手方向に垂直な平面で切断する過程と、仮設基礎を長手方向に沿う鉛直な平面で切断する過程とを実行する場合には、それら両過程をその順で実行することとしていたが、これは必ずしもこの限りではない。
例えば、それら両過程を逆に実行することも可能である。また、両過程においてワイヤソー４００を用いて切断を行う過程のみを先に実行した後に、両過程におけるその他の過程を実行する等の順序の入れ替えも適宜可能である。
なお、仮設基礎を長手方向に沿う鉛直な平面で切断する過程を、仮設基礎を長手方向に垂直な平面で切断する過程に先んじて実行した場合には、ワイヤソー４００を通すことで使用される前に、第１管２００と第２管３００とが切断されることになる。ただし、切断された後のブロックが移動されていない限り（つまり、切断された第１管２００の端面同士が移動しておらず一連であり、第２管３００についても同様である限り）、ワイヤソー４００を通すという第１管２００と第２管３００の機能には問題は生じない。したがって、第１管２００と第３管２５０の上下、第２管３００と第４管３５０の上下には、それらが満たすべき既述の条件が充足されている限り、特に制限はない。
【符号の説明】
【００３５】
１００  本体
１１０  接続金具
１２０  補強鉄筋
１２１  鉄筋
１２１Ｕ  下副筋
１３０  縦梁
１４０  横梁
２００  第１管
２５０  第３管
３００  第２管
３５０  第４管
４００  ワイヤソー
５１０  ロードカッター
５２０  ウォールカッター
【要約】
【課題】仮設基礎の解体を行う費用を抑制する。
【解決手段】仮設基礎はコンクリートできた本体１００の中に長手方向に伸びる副筋１２１を含む補強鉄筋１２０を備える。副筋１２１は、本体１００の上面、底面、両側面の付近に存在する。本体１００の切断されるべき部位の下には第１管２００が、その上の下副筋１２１Ｕの上には第２管３００が配されている。本体１００を分割する場合には、第１管２００と第２管３００の中を通したワイヤソー４００で囲まれた範囲である、本体１００の下副筋１２１Ｕを含む本体１００の下方を切断する。その他、本体１００の上面、及び下面は回転刃カッターで副筋１２１ごと切断を行う。
【選択図】図７【図１】
0006006896.tif 000002
【図２】
0006006896.tif 000003
【図３】
0006006896.tif 000004
【図４】
0006006896.tif 000005
【図５】
0006006896.tif 000006
【図６】
0006006896.tif 000007
【図７】
0006006896.tif 000008
【図８】
0006006896.tif 000009
【図９】
0006006896.tif 000010
【図１０】
0006006896.tif 000011
【図１１】
0006006896.tif 000012